(57)【要約】【課題】容器本体と蓋部を強く嵌合して密閉度を高めた場合であっても、蓋部を容器本体から容易に取り外し得る容器を提供する。【解決手段】内容物を入れる容器本体２６と、容器本体２６の上側に被せて強く嵌合し得る蓋部２９とを備えた容器２５であって、  容器本体２６の周囲には上方へ突出する台座部２８を備えると共に、蓋部２９の周囲には上方へ突出し且つ容器本体２６への嵌合時に台座部２８の上方に位置する凸部３０を備え、  蓋部２９を容器本体２６から外す際には、凸部３０を押すことによって、台座部２８に接する凸部３０を支点として蓋部２９の縁部１９ａを上方へ持ち上げ得るよう構成する。【選択図】図８
2005187043.tif 000002
【特許請求の範囲】
【請求項１】
内容物を入れる容器本体と、該容器本体の上側に被せて強く嵌合し得る蓋部とを備えた容器であって、
前記容器本体の周囲には上方へ突出する台座部を備えると共に、前記蓋部の周囲には上方へ突出し且つ容器本体への嵌合時に台座部の上方に位置する凸部を備え、
前記蓋部を容器本体から外す際には、凸部を押すことによって、台座部に接する凸部を支点として蓋部の縁部を上方へ持ち上げ得るよう構成したことを特徴とする容器。
【請求項２】
容器本体の台座部を容器本体の周囲隅部に形成すると共に、蓋部の凸部を蓋部の周囲隅部に形成した請求項１記載の容器。
【請求項３】
蓋部の凸部を、容器本体への嵌合時に台座部に当接させる請求項１又は２記載の容器。
【請求項４】
蓋部の凸部に、指を掛ける斜面を備えた請求項１〜３のいずれかに記載の容器。
【請求項５】
蓋部の周囲直線部のみに、内方へ突出する内方凸部を備え、前記蓋部を容器本体に嵌合する際には、内方凸部が容器本体の周縁端部に係合して強く嵌合するよう構成した請求項１〜４のいずれかに記載の容器。
【発明の詳細な説明】
【技術分野】
【０００１】
本発明は、食品等の内容物を入れる容器に関するものである。
【背景技術】
【０００２】
近年、コンビニエンスストア等で販売される弁当には種々の容器に入れたものがあり、その容器の一例を示すと、図１０〜図１４に示す如く、容器１は、内容物を入れる容器本体２と、容器本体２に被せる蓋部３とを備えて構成されており、夫々、ポリプロピレン（ＰＰ）、ポリエチレンテレフタレート（ＰＥＴ）等の樹脂で構成されている。
【０００３】
容器本体２は、底面４、側壁５及び仕切壁６により複数で大小の皿部７を形成すると共に、側壁５及び仕切壁６の上端から略水平に延在する第一段差面８と、第一段差面８の端側から上方に僅かに延在する内側面９と、内側面９の上端から外方に延在する略水平な周縁面１０と、周縁面１０の外周端から下方に延在する外側面１１と、外側面１１の下端から外方に延在する略水平な周縁端部１２とを備えて構成されている。ここで、図１０に示す皿部７は、容器本体２の略半分の容積を占めるメイン皿部７ａと、メイン皿部７ａに隣接する円筒状皿部７ｂと、メイン皿部７ａ及び円筒状皿部７ｂに隣接する二つの浅皿部７ｃとから構成されている。なお、図中、１３は第一段差面８と略水平に連なる仕切壁６の頂部平面、１４はメイン皿部７ａの底面４に形成される凸状部を示している。
【０００４】
蓋部３は、容器本体２の皿部７の形状に近似した略水平で複数の上面１５と、上面１５の外周端から下方に僅かに延在する側面１６と、一部の側面１６の下端に形成される溝部１７と、残りの側面１６の下端及び溝部１７の上端から外方に延在して複数の上面１５をまとめ且つ蓋部３の全体外周を形成する略水平な周縁面１８と、周縁面１８の外周端から下方に延在する外側面１９とを備えて構成されている。又、蓋部３の四つの周囲隅部２０には、外側面１９の下部で周方向に延在して湾曲により内方へ突出する第一内方凸部２１を形成すると共に、蓋部３の短手方向の側部には、外側面１９の下部で周方向に所定範囲で延在して湾曲により内方へ突出する第二内方凸部２２を形成している。ここで、図１２に示す上面１５は、メイン皿部７ａに対応するメイン上面１５ａと、円筒状皿部７ｂに対応する円形上面１５ｂと、二つの浅皿部７ｃに対応する二つの小形上面１５ｃとから構成されている。なお、図中、２３はメイン上面１５ａ及びその側面１６を補強する第一補強部、２４は円形上面１５ｂの側面１６を補強する第二補強部を示している。
【０００５】
容器本体２に蓋部３を被せて締結する際には、メイン皿部７ａとメイン上面１５ａ、円筒状皿部７ｂと円形上面１５ｂ、二つの浅皿部７ｃと二つの小形上面１５ｃを夫々対向させるよう、蓋部３を容器本体２の上側に被せ、蓋部３を上方から押し込むことによって、容器本体２の周縁面１０及び頂部平面１３に、蓋部３の周縁面１８を当接させると共に、容器本体２の周縁端部１２に、蓋部３の第一内方凸部２１及び第二内方凸部２２を係合させ、蓋部３を容器本体２に強く嵌合している。
【０００６】
このため、容器本体２に内容物を入れて蓋部３を締結した際には、容器本体２の周縁端部１２と、蓋部３の第一内方凸部２１及び第二内方凸部２２の係合等により強く嵌合して容器１の密閉度を高めている。
【０００７】
尚、この種の容器に関連する先行技術文献の情報としては次のものがある。
【特許文献１】特開２０００−２２６０７１号公報
【発明の開示】
【発明が解決しようとする課題】
【０００８】
しかしながら、容器本体２と蓋部３を強く嵌合して容器１の密閉度を高めた場合には、蓋部３の取り外しが困難になるという問題があった。
【０００９】
本発明は上述の実情に鑑みてなしたもので、容器本体と蓋部を強く嵌合して密閉度を高めた場合であっても、蓋部を容器本体から容易に取り外し得る容器を提供することを目的としている。
【課題を解決するための手段】
【００１０】
本発明の請求項１は、内容物を入れる容器本体と、該容器本体の上側に被せて強く嵌合し得る蓋部とを備えた容器であって、
前記容器本体の周囲には上方へ突出する台座部を備えると共に、前記蓋部の周囲には上方へ突出し且つ容器本体への嵌合時に台座部の上方に位置する凸部を備え、
前記蓋部を容器本体から外す際には、凸部を押すことによって、台座部に接する凸部を支点として蓋部の縁部を上方へ持ち上げ得るよう構成したことを特徴とする容器、に係るものである。
【００１１】
本発明の請求項２は、容器本体の台座部を容器本体の周囲隅部に形成すると共に、蓋部の凸部を蓋部の周囲隅部に形成した請求項１記載の容器、に係るものである。
【００１２】
本発明の請求項３は、蓋部の凸部を、容器本体への嵌合時に台座部に当接させる請求項１又は２記載の容器、に係るものである。
【００１３】
本発明の請求項４は、蓋部の凸部に、指を掛ける斜面を備えた請求項１〜３のいずれかに記載の容器、に係るものである。
【００１４】
本発明の請求項５は、蓋部の周囲直線部のみに、内方へ突出する内方凸部を備え、前記蓋部を容器本体に嵌合する際には、内方凸部が容器本体の周縁端部に係合して強く嵌合するよう構成した請求項１〜４のいずれかに記載の容器、に係るものである。
【００１５】
このように、本発明によれば、凸部を押すことによって、台座部に接する凸部を支点として蓋部の縁部を上方へ持ち上げ、容器本体に対する蓋部の係合を外し得るので、容器本体と蓋部を強く嵌合して密閉度を高めた場合であっても、蓋部の取り外しを容易にすることができる。
【００１６】
容器本体の台座部を容器本体の周囲隅部に形成すると共に、蓋部の凸部を蓋部の周囲隅部に形成すると、蓋部の取り外しに伴う蓋部の曲げを直線上の周縁面に比べて容易にするので、蓋部の縁部を上方へ簡易に持ち上げ、容器本体と蓋部を強く嵌合して密閉度を高めた場合であっても、蓋部の取り外しを一層容易にすることができる。
【００１７】
蓋部の凸部を、容器本体への嵌合時に台座部に当接させると、台座部に接する凸部を支点として蓋部の縁部を上方へ好適に持ち上げるので、容器本体と蓋部を強く嵌合して密閉度を高めた場合であっても、蓋部の取り外しを一層容易にすることができる。
【００１８】
蓋部の凸部に、指を掛ける斜面を備えると、台座部に接する凸部を支点として蓋部の縁部を上方へ簡単に持ち上げるので、容器本体と蓋部を強く嵌合して密閉度を高めた場合であっても、蓋部の取り外しを一層容易にすることができる。
【００１９】
蓋部の周囲直線部のみに、内方へ突出する内方凸部を備え、前記蓋部を容器本体に嵌合する際には、内方凸部が容器本体の周縁端部に係合して強く嵌合するよう構成すると、蓋部の周囲隅部に内方凸部を無くして蓋部の縁部を上方へ容易に持ち上げると共に、蓋部の周囲直線部に内方凸部を備えて容器本体と蓋部を強く嵌合し得るので、蓋部の取り外しの容易性と、容器本体と蓋部の密閉度の向上を両立することができる。
【発明の効果】
【００２０】
上記した本発明の容器によれば、凸部を押すことによって、容器本体に対する蓋部の掛止を外し得るので、容器本体と蓋部を強く嵌合して密閉度を高めた状態であっても、蓋部を容器本体から容易に取り外すことができるという優れた効果を奏し得る。
【発明を実施するための最良の形態】
【００２１】
以下本発明の実施の形態を図面を参照しつつ説明する。
【００２２】
図１〜図９は本発明を実施する形態例を示すものであり、図１は本発明の容器の容器本体を示す平面図、図２は図１のＩＩ−ＩＩ方向の矢視図、図３は図１のＩＩＩ−ＩＩＩ方向の矢視図、図４は本発明の容器の蓋部を示す平面図、図５は図４のＶ−Ｖ方向の矢視図、図６は本発明の容器本体と蓋部を嵌合した際の台座部と凸部の状態を示す拡大断面図、図７は本発明の容器本体と蓋部を嵌合した際の周縁端部に内方凸部が係合する状態を示す拡大断面図、図８は凸部を支点として蓋部の縁部を上方へ持ち上げる前の状態を示す拡大断面図、図９は凸部を支点として蓋部の縁部を上方へ持ち上げた後の状態を示す拡大断面図である。又、図１０〜図１４と同一の符号を付した部分は同一物を表わしている。
【００２３】
本形態例の容器２５を構成する容器本体２６は、円筒状皿部７ｂに隣接するよう一つの周囲隅部２７に、上方へ突出する台座部２８を備えており、台座部２８は、円筒状皿部７ｂの側壁５の中途位置から周囲隅部２７に向かって斜め上方へ傾斜するメイン斜面２８ａと、メイン斜面２８ａの上端から周囲隅部２７の周縁面１０に向かって傾斜する第一側面２８ｂと、メイン斜面２８ａの一側辺から第一段差面８の一方に向かって傾斜する第二側面２８ｃと、メイン斜面２８ａの他側辺から第一段差面８の他方に向かって傾斜する第三側面２８ｄとを備えている。又、台座部２８の第一側面２８ｂ、第二側面２８ｃ及び第三側面２８ｄは、厚さ及び傾斜によりメイン斜面２８ａを補強するよう支持しており、メイン斜面２８ａに上方から力が作用した際にはメイン斜面２８ａの変形を防止している。ここで、台座部２８は、周縁面１０から２ｍｍ〜１０ｍｍの高さ、第一段差面８から７ｍｍ〜１５ｍｍの高さであり、周縁面１０から３ｍｍ前後が好ましい。又、台座部２８は周囲隅部２７に形成することが好ましいが、直線上の周縁面１０に形成してもよい。更に、台座部２８は、複数形成してもよいし、水平面で四角、円形、楕円、三角等のどのような形状でもよい。更に又、台座部２８は成形の際に一括して構成することが好ましい。
【００２４】
本形態例の容器２５を構成する蓋部２９は、円形上面１５ｂに隣接するよう一つの周囲隅部２０に、上方へ突出し且つ容器本体２６への嵌合時に台座部２８の上方に位置する凸部３０を備えており、凸部３０は、円形上面１５ｂの側面１６の下端から周囲隅部２０に向かって斜め上方へ傾斜する掛止用斜面３０ａと、掛止用斜面３０ａの上端から周縁面１８の外方に向かって傾斜する第一側面３０ｂと、掛止用斜面３０ａの一側辺から周縁面１８の一方に向かって傾斜する第二側面３０ｃと、掛止用斜面３０ａの他側辺から周縁面１８の他方に向かって傾斜する第三側面３０ｄとを備えている。又、蓋部２９の凸部３０は、容器本体２６の台座部２８より厚さを薄くすると共に、掛止用斜面３０ａ、第二側面３０ｃ及び第三側面３０ｄの大きさを小さくすることにより変形可能にしている。ここで、凸部３０は、周縁面１８から２ｍｍ〜１０ｍｍの高さであり、周縁面１８から３ｍｍ前後が好ましい。又、凸部３０は、台座部２８と同様に、周囲隅部２０に形成することが好ましいが、直線上の周縁面１８に形成してもよいし、台座部２８に対応するよう複数形成してもよいし、水平面で四角、円形、楕円、三角等のどのような形状でもよい。更に、成形の際に一括して構成することが好ましい。
【００２５】
蓋部２９の直線状の外側面１９には、四つの周囲隅部２０の両側に隣接するよう、周方向に延在して湾曲により内方へ突出する複数のメイン内方凸部３１を形成すると共に、蓋部２９の短手方向の側部には、外側面１９の下部で周方向に所定範囲で延在して湾曲により内方へ突出する第二内方凸部２２を形成している。
【００２６】
以下、本発明を実施する形態例の作用を説明する。
【００２７】
本形態例の容器２５の容器本体２６に蓋部２９を被せて締結する際には、台座部２８と凸部３０、メイン皿部７ａとメイン上面１５ａ、円筒状皿部７ｂと円形上面１５ｂ、二つの浅皿部７ｃと二つの小形上面１５ｃを夫々対向させるよう、蓋部２９を容器本体２６の上面１５に被せ、蓋部２９を上方から押し込むことによって、容器本体２６の周縁面１０及び頂部平面１３に蓋部２９の周縁面１８を当接させると共に、容器本体２６の台座部２８に蓋部２９の凸部３０を当接させる。同時に容器本体２６の周縁端部１２に、蓋部２９のメイン内方凸部３１及び第二内方凸部２２を係合させ、蓋部２９を容器本体２６に強く嵌合し、従来例と略同様に容器２５の密閉度を高めている。この時、凸部３０の掛止用斜面３０ａは、台座部２８のメイン斜面２８ａの中途位置から上端まで面接触しており、凸部３０の第二側面３０ｃ及び第三側面３０ｄは、台座部２８の第二側面２８ｃ及び第三側面２８ｄの中途位置から上端まで面接触しており、凸部３０の第一側面３０ｂは、台座部２８の第一側面２８ｂの全面に面接触している。
【００２８】
蓋部２９を容器本体２６から外す際には、凸部３０の掛止用斜面３０ａに指を掛けると共に蓋部２９の外側面１９の下端（縁部１９ａ）に他の指を掛け、凸部３０の掛止用斜面３０ａを上方から下方に押すことによって、図８、図９に示す如く、凸部３０の第一側面３０ｂから周縁面１８へ延在する部分を湾曲させ、台座部２８に接する凸部３０を支点とするよう蓋部２９の外側面１９の縁部１９ａを上方へ持ち上げる。次に蓋部２９の縁部１９ａを持ち上げた際には、凸部３０近傍に位置する蓋部２９のメイン内方凸部３１及び第二内方凸部２２を、容器本体２６の周縁端部１２から外し、蓋部２９を容器本体２６から完全に外す。
【００２９】
このように、本形態例によれば、蓋部２９の凸部３０を上方から押すことによって、台座部２８に接する凸部３０を支点として蓋部２９の縁部１９ａを上方へ持ち上げ、容器本体２６に対する蓋部２９の係合を外し得るので、容器本体２６と蓋部２９を強く嵌合して密閉度を高めた場合であっても、蓋部２９の取り外しを容易にすることができる。又、容器本体２６の台座部２８を変形を防止にするよう構成されると共に、蓋部２９の凸部３０は容易に変形し得るよう構成されるので、蓋部２９の縁部１９ａを上方へ容易に持ち上げをすることができる。更に、台座部２８は、周縁面１０から２ｍｍ〜１０ｍｍの高さ、第一段差面８から７ｍｍ〜１５ｍｍの高さであると共に、凸部３０は、周縁面１８から２ｍｍ〜１０ｍｍの高さであるので、台座部２８に接する凸部３０を支点として蓋部２９の縁部１９ａを上方へ好適に持ち上げることができ、台座部２８を周縁面１０から３ｍｍ前後にした場合及び凸部３０を周縁面１８から３ｍｍ前後した場合には蓋部２９の縁部１９ａを特に上方へ好適に持ち上げることができる。ここで、台座部２８の高さを周縁面１０から２ｍｍ未満もしくは第一段差面８から７ｍｍ未満にした場合は、凸部３０の支点とならず、周縁面１０から１０ｍｍ以上もしくは第一段差面８から１５ｍｍ以上にした場合は、メイン斜面２８ａが急傾斜になり変形を好適に防止できず、外見の美観を損なうという問題がある。一方、凸部３０の高さを周縁面１８から２ｍｍ未満にした場合は、力を好適に加えることができず、周縁面１８から１０ｍｍ以上にした場合は、ラップ等で包んだ際にラップを破損させるという問題がある。更に又、台座部２８及び凸部３０を複数形成した場合には、どの方向からも蓋部２９を取り外すことができる。又、台座部２８及び凸部３０を水平面で四角、円形、楕円、三角等に形成した場合には、容器本体２６及び蓋部２９の形状に合わせて用いることができる。ここで、容器本体２６に円筒状皿部７ｂを形成すると共に、蓋部２９に円形上面１５ｂを形成した場合には、側部に余剰スペースを生じるので、容易に台座部２８及び凸部３０を形成することができる。
【００３０】
容器本体２６の台座部２８を容器本体２６の周囲隅部２７に形成すると共に、蓋部２９の凸部３０を蓋部２９の周囲隅部２０に形成すると、蓋部２９の取り外しに伴う蓋部２９の曲げを直線上の周縁面１８に比べて容易にするので、蓋部２９の縁部１９ａを上方へ簡易に持ち上げ、容器本体２６と蓋部２９を強く嵌合して密閉度を高めた場合であっても、蓋部２９の取り外しを一層容易にすることができる。
【００３１】
蓋部２９の凸部３０を、容器本体２６への嵌合時に台座部２８に当接させると、台座部２８に接する凸部３０を支点として蓋部２９の縁部１９ａを上方へ好適に持ち上げるので、容器本体２６と蓋部２９を強く嵌合して密閉度を高めた場合であっても、蓋部２９の取り外しを一層容易にすることができる。
【００３２】
蓋部２９の凸部３０に、指を掛ける掛止用斜面３０ａを備えると、台座部２８に接する凸部３０を支点として蓋部２９の縁部１９ａを上方へ簡単に持ち上げるので、容器本体２６と蓋部２９を強く嵌合して密閉度を高めた場合であっても、蓋部２９の取り外しを一層容易にすることができる。
【００３３】
蓋部２９の周囲直線部（外側面１９の直線部）のみに、内方へ突出するメイン内方凸部３１及び第二内方凸部２２を備え、前記蓋部２９を容器本体２６に嵌合する際には、メイン内方凸部３１及び第二内方凸部２２が容器本体２６の周縁端部１２に係合して強く嵌合するよう構成すると、蓋部２９の周囲隅部２０に第一内方凸部２１を無くして蓋部２９の縁部１９ａを上方へ容易に持ち上げると共に、蓋部２９の周囲直線部（外側面１９の直線部）にメイン内方凸部３１及び第二内方凸部２２を備えて容器本体２６と蓋部２９を従来例と略同様に強く嵌合し得るので、蓋部２９の取り外しの容易性と、容器本体２６と蓋部２９の密閉度の向上を両立することができる。
【００３４】
尚、本発明の容器は、上述の形態例にのみ限定されるものではなく、内容物は食品に限定されるものでなく工業用材料等でもよいこと、その他、本発明の要旨を逸脱しない範囲内において種々変更を加え得ることは勿論である。
【図面の簡単な説明】
【００３５】
【図１】本発明の容器の容器本体を示す平面図である。
【図２】図１のＩＩ−ＩＩ方向の矢視図である。
【図３】図１のＩＩＩ−ＩＩＩ方向の矢視図である。
【図４】本発明の容器の蓋部を示す平面図である。
【図５】図４のＶ−Ｖ方向の矢視図である。
【図６】本発明の容器本体と蓋部を嵌合した際の台座部と凸部の状態を示す拡大断面図である。
【図７】本発明の容器本体と蓋部を嵌合した際の周縁端部に内方凸部が係合する状態を示す拡大断面図である。
【図８】凸部を支点として蓋部の縁部を上方へ持ち上げる前の状態を示す拡大断面図である。
【図９】凸部を支点として蓋部の縁部を上方へ持ち上げた後の状態を示す拡大断面図である。
【図１０】従来例の容器の容器本体を示す平面図である。
【図１１】図１０のＸＩ−ＸＩ方向の矢視図である。
【図１２】従来例の容器の蓋部を示す平面図である。
【図１３】図１２のＸＩＩＩ−ＸＩＩＩ方向の矢視図である。
【図１４】従来例の容器本体と蓋部を嵌合した際の周縁端部に第一内方凸部が係合する状態を示す拡大断面図である。
【符号の説明】
【００３６】
１０    周縁面
１８    周縁面
１９    外側面（周囲直線部）
１９ａ  縁部
２０    周囲隅部
２２    第二内方凸部（内方凸部）
２５    容器
２６    容器本体
２７    周囲隅部
２８    台座部
２９    蓋部
３０    凸部
３１    メイン内方凸部（内方凸部）
【図１】
2005187043.tif 000003
【図２】
2005187043.tif 000004
【図３】
2005187043.tif 000005
【図４】
2005187043.tif 000006
【図５】
2005187043.tif 000007
【図６】
2005187043.tif 000008
【図７】
2005187043.tif 000009
【図８】
2005187043.tif 000010
【図９】
2005187043.tif 000011
【図１０】
2005187043.tif 000012
【図１１】
2005187043.tif 000013
【図１２】
2005187043.tif 000014
【図１３】
2005187043.tif 000015
【図１４】
2005187043.tif 000016